(57)【要約】【課題】しきい値電圧のレベル変動を抑制する。【解決手段】ピーク電圧検出部１０は、信号のピーク電圧を検出する。ボトム電圧検出部２０は、信号のボトム電圧を検出する。停止制御部３０は、ピーク電圧とボトム電圧の検出制御を停止させる停止信号を生成する。しきい値設定部４０は、ピーク電圧とボトム電圧とからしきい値電圧を設定する。また、ピーク電圧検出部１０は、停止信号を受信すると、ピーク電圧の検出制御を停止し、同一信号の受信中は、停止信号を受信する前に検出したピーク電圧を保持し、ボトム電圧検出部２０は、停止信号を受信すると、ボトム電圧の検出制御を停止し、同一信号の受信中は、停止信号を受信する前に検出したボトム電圧を保持し、しきい値設定部４０は、同一信号受信中に変動が抑制された一定レベルのピーク電圧及びボトム電圧からしきい値を設定する。【選択図】図１
2008141271.tif 000002
【特許請求の範囲】
【請求項１】
パケット形式で伝送される信号の受信処理を行う受信装置において、
前記信号のピーク電圧を検出するピーク電圧検出部と、
前記信号のボトム電圧を検出するボトム電圧検出部と、
前記ピーク電圧の検出制御及び前記ボトム電圧の検出制御を停止させる停止信号を生成する停止制御部と、
前記ピーク電圧と前記ボトム電圧とにもとづいて、しきい値電圧を設定するしきい値設定部と、
を有し、
前記ピーク電圧検出部は、前記停止信号を受信すると、前記ピーク電圧の検出制御を停止し、同一信号の受信中は、前記停止信号を受信する前に検出した前記ピーク電圧を保持し、
前記ボトム電圧検出部は、前記停止信号を受信すると、前記ボトム電圧の検出制御を停止し、同一信号の受信中は、前記停止信号を受信する前に検出した前記ボトム電圧を保持し、
前記しきい値設定部は、同一信号受信中に変動が抑制された一定レベルの前記ピーク電圧及び前記ボトム電圧から前記しきい値を設定する、
ことを特徴とする受信装置。
【請求項２】
前記停止制御部は、前記ピーク電圧検出部が前記信号の先頭フィールドの振幅レベルから検出した前記ピーク電圧と、前記ボトム電圧検出部が前記信号の先頭フィールドの振幅レベルから検出した前記ボトム電圧との差分から、前記信号の振幅レベルを検出した際に、前記停止信号を出力することを特徴とする請求項１記載の受信装置。
【請求項３】
前記停止信号を前記ピーク電圧検出部及び前記ボトム電圧検出部へ入力する際の入力時間を調整するために、前記停止信号を遅延させる遅延部をさらに有することを特徴とする請求項１記載の受信装置。
【請求項４】
前記ピーク電圧検出部は、入力した前記信号を通電させるトランジスタと、通電することにより充電して前記ピーク電圧を保持するコンデンサとから構成され、前記停止信号を受信すると前記トランジスタのゲート電圧を変化させて前記トランジスタのリーク電流の発生を抑制し、前記停止信号を受信する前に検出した前記ピーク電圧を保持することを特徴とする請求項１記載の受信装置。
【請求項５】
前記ボトム電圧検出部は、入力した前記信号を通電させるトランジスタと、通電することにより充電して前記ボトム電圧を保持するコンデンサとから構成され、前記停止信号を受信すると前記トランジスタのゲート電圧を変化させて前記トランジスタのリーク電流の発生を抑制し、前記停止信号を受信する前に検出した前記ボトム電圧を保持することを特徴とする請求項１記載の受信装置。
【発明の詳細な説明】
【技術分野】
【０００１】
本発明は受信装置に関し、特にバースト送信されて入力したパケットの受信処理を行う受信装置に関する。
【背景技術】
【０００２】
近年、インターネットの普及により、情報通信ネットワークが家庭や企業に浸透し、より高速で大容量のサービスの提供に向けて光加入者系ネットワークが進展しており、光加入者システムとしてＰＯＮ（Passive Optical Network）システムの採用が広がっている。
【０００３】
図１４はＰＯＮシステムの構成を示す図である。ＰＯＮシステム５は、局側に配置されるＯＬＴ（Optical Line Terminal：光加入者終端装置）５１、加入者側に配置されるＯＮＵ（Optical Network Unit）＃１〜＃ｎ、光分波・合波を行うスターカプラ５２から構成される。
【０００４】
ＯＬＴ５１とＯＮＵ＃１〜＃ｎは、スターカプラ５２を介して光ファイバケーブルＦによって１対ｎで接続し、ＯＬＴ５１とＯＮＵ＃１〜＃ｎ間で光パケット通信が行われる。図では、複数の加入者側のＯＮＵ＃１〜＃ｎからバースト的に送信された光パケットをスターカプラ５２で合波し、１つのＯＬＴ５１で受信する様子を示している。
【０００５】
図１５はＯＬＴ５１で受信される信号のレベルを示す図である。横軸は時間、縦軸はＯ／Ｅ変換後の電気信号のレベルを示している。ＯＮＵ＃１〜＃ｎは、加入者宅毎に配置され、ＯＬＴ５１とＯＮＵ＃１〜＃ｎとの間の伝送距離はＯＮＵ毎に異なるので、ＯＬＴ５１は、異なるレベルのパケット信号を受信することになる。
【０００６】
また、ＯＬＴ５１は、各ＯＮＵから送信されたパケットを受信する毎に、符号識別のためのしきい値レベルを設定し、しきい値を用いて“０”、“１”の符合判定を行って、該当パケットに対するデータ受信処理を行う。なお、図の例では、ＯＬＴ５１と最も遠い距離に位置するのがＯＮＵ＃１であり、最も近い距離に位置するのがＯＮＵ＃５であることがわかる。
【０００７】
従来の受信制御として、入力信号波形のピーク値とボトム値とを検出・保持し、その中間の値をしきい値と設定し、このしきい値を中心に入力信号を線形領域で増幅しながら出力振幅を一定に保つ技術が提案されている（例えば、特許文献１）。
【特許文献１】特開平０６−３１０９６７号公報
【発明の開示】
【発明が解決しようとする課題】
【０００８】
ＯＬＴ５１の内部にはパケット受信回路が含まれ、この回路によって、受信パケットのピーク電圧（信号が“Ｈ”のときの電圧）及びボトム電圧（信号が“Ｌ”のときの電圧）が検出されて、しきい値が求められる。
【０００９】
図１６はパケット受信処理の概要を示す図である。横軸は時間、縦軸はレベルである。パケット受信回路は、パケット入力前に、信号のピーク電圧、ボトム電圧及びしきい値電圧を一旦リセットし、リセット後、受信パケットの先頭フィールドに付加されているプリアンブル（パケットの先頭位置を示すデータ）のレベルから受信パケットのピーク電圧とボトム電圧とのレベル検出を開始する。
【００１０】
そして、検出したピーク電圧とボトム電圧から、中間レベルのしきい値電圧を求める。パケット受信終了後は、次のパケットのしきい値検出を行うために、ピーク電圧、ボトム電圧及びしきい値電圧をリセットする。このような制御を到着パケット順に繰り返して行うことで、パケット毎に入力レベルの異なるバースト信号の受信処理を行っている。
【００１１】
しかし、上記のような従来のパケット受信回路では、パケット入力中に直流レベル変動が生じなくても、入力パケットの信号パターン（パケットのデータパターン）によって、ピーク電圧及びボトム電圧もそれに伴って変動するために、一定レベルの正確なしきい値レベルを設定できないといった問題があった。
【００１２】
図１７は問題点を説明するための図である。横軸は時間、縦軸はレベルである。パケットｐ１のしきい値確定後に検出レベルのリセットを行い、パケットｐ２を受信する。パケットｐ２のしきい値を検出する場合、まず、プリアンブルのレベルからパケットｐ２のピーク電圧とボトム電圧とのレベル検出を開始するが、パケットｐ２の入力中は、入力パケットの信号の直流レベルが一定であるにもかかわらず、入力信号のパターンによって検出したピーク電圧およびボトム電圧は変動している。
【００１３】
このために、検出したしきい値電圧がピーク電圧およびボトム電圧の変動に追従するために（図では、パケットｐ２の入力電圧が変動しないにもかかわらず、信号入力パターンによってピーク電圧が上下に変動している様子を示している）、同一パケット受信中にしきい値電圧が変動してしまい、符号判定を行うためのしきい値を設定することができないといった問題があった。
【００１４】
本発明はこのような点に鑑みてなされたものであり、入力パケットのピーク電圧およびボトム電圧が、入力する信号パターンに依存する変動に追従せずに、一定レベルのしきい値電圧を設定する受信装置を提供することを目的とする。
【課題を解決するための手段】
【００１５】
本発明では上記課題を解決するために、図１に示すような、パケット形式で伝送される信号の受信処理を行う受信装置１において、信号のピーク電圧を検出するピーク電圧検出部１０と、信号のボトム電圧を検出するボトム電圧検出部２０と、ピーク電圧の検出制御及びボトム電圧の検出制御を停止させる停止信号を生成する停止制御部３０と、ピーク電圧とボトム電圧とにもとづいて、しきい値電圧を設定するしきい値設定部４０と、を有し、ピーク電圧検出部１０は、停止信号を受信すると、ピーク電圧の検出制御を停止し、同一信号の受信中は、停止信号を受信する前に検出したピーク電圧を保持し、ボトム電圧検出部２０は、停止信号を受信すると、ボトム電圧の検出制御を停止し、同一信号の受信中は、停止信号を受信する前に検出したボトム電圧を保持し、しきい値設定部４０は、同一信号受信中に変動が抑制された一定レベルのピーク電圧及びボトム電圧からしきい値を設定することを特徴とする受信装置１が提供される。
【００１６】
ここで、ピーク電圧検出部１０は、信号のピーク電圧を検出する。ボトム電圧検出部２０は、信号のボトム電圧を検出する。停止制御部３０は、ピーク電圧の検出制御及びボトム電圧の検出制御を停止させる停止信号を生成する。しきい値設定部４０は、ピーク電圧とボトム電圧とにもとづいて、しきい値電圧を設定する。また、この場合、ピーク電圧検出部１０は、停止信号を受信すると、ピーク電圧の検出制御を停止し、同一信号の受信中は、停止信号を受信する前に検出したピーク電圧を保持し、ボトム電圧検出部２０は、停止信号を受信すると、ボトム電圧の検出制御を停止し、同一信号の受信中は、停止信号を受信する前に検出したボトム電圧を保持し、しきい値設定部４０は、同一信号受信中に変動が抑制された一定レベルのピーク電圧及びボトム電圧からしきい値を設定する。
【発明の効果】
【００１７】
本発明の受信装置は、ピーク電圧の検出制御及びボトム電圧の検出制御を停止させる停止信号を生成し、停止信号を受信した場合は、ピーク電圧及びボトム電圧の検出制御を停止して、同一パケットの受信中は、停止信号を受信する前に検出したピーク電圧及びボトム電圧を保持して、レベル保持後のピーク電圧及びボトム電圧からしきい値を設定する構成とした。これにより、入力パケットの信号パターンが変動する場合でも、一定レベルのピーク電圧とボトム電圧からしきい値が設定されるので、同一パケット受信中のしきい値電圧の変動を抑制することが可能になる。
【発明を実施するための最良の形態】
【００１８】
以下、本発明の実施の形態を図面を参照して説明する。図１は受信装置の原理図である。受信装置１は、バースト的に送信されるパケットの受信処理を行う装置であり、例えば、光アクセス系のＰＯＮシステムのＯＬＴ内部のパケット受信回路などに適用可能である。
【００１９】
受信装置１は、ピーク電圧検出部１０、ボトム電圧検出部２０、停止制御部３０、しきい値設定部４０、遅延部５０から構成される。ピーク電圧検出部１０は、パケットの振幅レベルに追従してピーク電圧を検出する。ボトム電圧検出部２０は、パケットの振幅レベルに追従してボトム電圧を検出する。
【００２０】
停止制御部３０は、ピーク電圧の検出制御及びボトム電圧の検出制御を停止させる停止信号を生成し出力する。しきい値設定部４０は、抵抗Ｒ１、Ｒ２を含み、抵抗分圧を行って、ピーク電圧とボトム電圧との中間レベルをしきい値電圧として設定する。遅延部５０は、停止信号を所定時間遅延させて、ピーク電圧検出部１０とボトム電圧検出部２０へ送信する（遅延部５０は図６で後述）。
【００２１】
ここで、ピーク電圧検出部１０は、停止信号を受信すると、ピーク電圧の検出制御を停止し、同一パケットの受信中は、停止信号を受信する前に検出したピーク電圧を保持して出力する。また、ボトム電圧検出部２０は、停止信号を受信すると、ボトム電圧の検出制御を停止し、同一パケットの受信中は、停止信号を受信する前に検出したボトム電圧を保持して出力する。そして、しきい値設定部４０は、同一パケット受信中に変動のない一定レベルのピーク電圧及びボトム電圧からしきい値を設定する。
【００２２】
なお、１つのパケットを受信してしきい値設定処理が完了すると、次の到着パケットに対するしきい値設定を行うために、外部からリセット信号がピーク電圧検出部１０、ボトム電圧検出部２０及び停止制御部３０に対して与えられ、これによりピーク電圧、ボトム電圧、しきい値電圧及び停止信号がリセットされる。
【００２３】
次にピーク電圧検出部１０の構成について説明する。図２はピーク電圧検出部の構成を示す図である。ピーク電圧検出部１０−１は、アンプ１１、１２、ＮチャネルのＦＥＴ（Field Effect Transistor）１３〜１５、抵抗Ｒ１１、コンデンサＣ１１の素子で構成される。
【００２４】
各素子の接続関係を記すと、アンプ１１の入力端子にパケット信号が入力する。アンプ１１の出力端子は、抵抗Ｒ１１の一端と、ＦＥＴ１３、１４のドレイン端子に接続する。ＦＥＴ１５のゲート端子に停止信号が入力し、ＦＥＴ１５のドレイン端子は、抵抗Ｒ１１の他端とＦＥＴ１４のゲート端子と接続し、ＦＥＴ１５のソース端子はＧＮＤに接続する。
【００２５】
ＦＥＴ１３のゲート端子にはリセット信号が入力し、ＦＥＴ１３のソース端子は、ＦＥＴ１４のソース端子と、コンデンサＣ１１の一端と、アンプ１２の入力端子に接続する。コンデンサＣ１１の他端はＧＮＤに接続し、アンプ１２の出力端子からピーク電圧信号が出力する。
【００２６】
ここで、ピーク電圧検出部１０−１では、停止信号を用いて、同一パケット受信中のピーク電圧の変動を抑制する機能を有するが、最初にピーク電圧検出の基本動作について説明する。
【００２７】
パケット入力前のリセット後、入力信号をアンプ１１で増幅し、ＦＥＴ１４のゲートを駆動して、入力信号を通過させ、コンデンサＣ１１を入力信号レベルに応じて充電することで、パケット入力中のピーク電圧を検出する。
【００２８】
図に示すＡ点の電位が検出対象のピーク電圧に該当するもので、Ａ点において、現在保持している電位よりも入力信号の電位が高い場合には、ＦＥＴ１４がＯＮして、ドレイン→ソースへ向けて電流が流れて、コンデンサＣ１１を充電し、あらたな最大レベルとしてのピーク電圧が保持されることになる。また、Ａ点に対して、現在保持している電位よりも入力信号の電位が低い場合には、ＦＥＴ１４はＯＦＦとなるので、コンデンサＣ１１に現在充電されている電位がそのままピーク電圧として保持される。
【００２９】
上記のように、ピーク電圧検出制御では、入力信号の振幅レベルに追従して、ピーク電圧を逐次検出するが、このような制御だけでは、本来、同一パケットの振幅レベルは一定であるにもかかわらず、伝送路を通じて流れてきた同一パケットの入力信号には、様々な信号パターンが含まれているため、“High”側の値（“１”の値）の連続信号などを受信した場合には、ＦＥＴ１４のドレインソース間でリーク電流が生じ（漏れ電流が生じ）、コンデンサＣ１１を追加充電するため、同一パケットの受信中にピーク電圧が変動してしまうことになる。
【００３０】
次にピーク電圧検出部１０−１におけるピーク電圧の変動抑制動作について説明する。停止制御部３０で生成された停止信号がＦＥＴ１５のゲート端子に入力すると、ＦＥＴ１５がＯＮして抵抗Ｒ１１に電流が流れる（なお、停止信号は、“Ｈ”でアクティブであり、このときレベル検出制御の停止を意味する）。
【００３１】
すると、ＦＥＴ１４のゲート電圧が低下して（ゲート電圧を“Ｌ”にする）、ＦＥＴ１４がＯＦＦするので、ＦＥＴ１４のドレイン→ソースへ向かう電流の流れを止めることになる。
【００３２】
図３はピーク電圧検出部１０−１から出力されるピーク電圧を示す図である。横軸は時間、縦軸はレベルである。図に示すように、停止信号を受信したときは、入力パケットの振幅レベルに変動があっても、ＦＥＴ１４のドレインソース間のリーク電流を抑制して、コンデンサＣ１１の追加充電がなくなるので、同一パケットの受信中においては、一定レベルの変動のないピーク電圧を保持して出力することが可能になる。
【００３３】
次にボトム電圧検出部２０の構成について説明する。図４はボトム電圧検出部の構成を示す図である。ボトム電圧検出部２０−１は、アンプ２１、２２、インバータゲート２３、２４、ＰチャネルのＦＥＴ２５〜２７、抵抗Ｒ２１、コンデンサＣ２１の素子で構成される。
【００３４】
各素子の接続関係を記すと、インバータゲート２３の入力端子に停止信号が入力し、インバータゲート２３の出力端子は、ＦＥＴ２５のゲート端子に接続する。ＦＥＴ２５のソース端子は電源ＶＤＤと接続し、ドレイン端子は抵抗Ｒ２１の一端と、ＦＥＴ２６のゲート端子と接続する。アンプ２１の入力端子にパケット信号が入力し、アンプ２１の出力端子は、抵抗Ｒ２１の他端と、ＦＥＴ２６、２７のソース端子と接続する。インバータゲート２４の入力端子にリセット信号が入力し、インバータゲート２４の出力端子は、ＦＥＴ２７のゲート端子と接続する。ＦＥＴ２６のドレイン端子は、ＦＥＴ２７のドレイン端子と、コンデンサＣ２１の一端と、アンプ２２の入力端子と接続し、コンデンサＣ２１の他端はＧＮＤに接続し、アンプ２２の出力端子からボトム電圧信号が出力する。
【００３５】
ここで、ボトム電圧検出部２０−１では、上述したピーク電圧検出部１０−１のＦＥＴのダイオードの向きを逆にした構成によってボトム電圧を検出する。動作としては、図に示すＢ点の電位が検出対象のボトム電圧に該当するもので、Ｂ点において、現在保持している電位よりも入力信号の電位が低い場合には、ＦＥＴ２６がＯＮして、ソース→ドレインへ向けて電流が流れて、コンデンサＣ２１を充電し、あらたな最小レベルとしてのボトム電圧が保持されることになる。また、現在保持している電位よりも入力信号の電位が高い場合には、ＦＥＴ２６はＯＦＦとなるので、コンデンサＣ２１に現在充電されている電位がそのままボトム電圧として保持される。
【００３６】
また、ボトム電圧の変動抑制制御としては、停止制御部３０で生成された停止信号を受信すると、停止信号はインバータゲート２３に入力して反転され、ＦＥＴ２５のゲート端子に入力すると、ＦＥＴ２５がＯＮしてソース→ドレインへ向けて電流が流れて、ＦＥＴ２６のゲート端子へ供給される。すると、ＦＥＴ２６のゲート電圧レベルが“Ｈ”となるので、ＦＥＴ２６がＯＦＦとなり、ソース→ドレインへ向かう電流の流れを止めることになる。
【００３７】
これにより、停止信号を受信したときは、入力パケットの振幅レベルに変動があっても、ＦＥＴ２６のソースドレイン間のリーク電流を抑制して、コンデンサＣ２１の追加充電がなくなるので、同一パケットの受信中においては、一定レベルの変動のないボトム電圧を保持して出力することが可能になる。
【００３８】
次に停止制御部３０について説明する。図５は停止制御部３０の構成を示す図である。停止制御部３０は、簡単には１つの差動アンプ３１で構成できる。差動アンプ３１の一方の入力端子に、ピーク電圧検出部１０で検出されたピーク電圧を入力し、他方の入力端子には、ボトム電圧検出部２０で検出されたボトム電圧を入力して、ピーク電圧とボトム電圧との差分値を停止信号として出力する。
【００３９】
この場合、ピーク電圧検出部１０がパケットの先頭フィールドに位置するプリアンブルの振幅レベルから検出したピーク電圧を、差動アンプ３１の一方の入力端子に入力する。また、ボトム電圧検出部２０がパケットの先頭フィールドに位置するプリアンブルの振幅レベルから検出したボトム電圧を、差動アンプ３１の他方の入力端子に入力する。
【００４０】
すなわち、差動アンプ３１は、入力パケットのプリアンブル区間のピーク−ボトム間の振幅レベルを検出していることになり、入力パケットの振幅レベルが検出された場合には、検出結果を停止信号として、ピーク電圧検出部１０とボトム電圧検出部２０へフィードバック送信する。
【００４１】
一方、ピーク電圧検出部１０では、この停止信号を受信すると、停止信号を受信する前に検出したピーク電圧、すなわち、入力パケットのプリアンブルで検出したピーク電圧を、同一パケットの受信中保持することになる。また、ボトム電圧検出部２０では、この停止信号を受信すると、停止信号を受信する前に検出したボトム電圧、すなわち、入力パケットのプリアンブルで検出したボトム電圧を、同一パケットの受信中保持することになる。
【００４２】
そして、しきい値設定部４０では、同一パケット受信中に一定レベルのピーク電圧及びボトム電圧から、抵抗Ｒ１、Ｒ２の抵抗分圧によってしきい値を設定することで、レベル変動が抑制されたしきい値を設定することができ、後段の処理において、しきい値を用いてのパケットの符号判定を高精度に行うことが可能になる。
【００４３】
次に遅延部５０について説明する。遅延部５０は、停止信号をピーク電圧検出部１０及びボトム電圧検出部２０へ入力する際に、入力時間を調整するための回路である。
図６は遅延部５０の構成を示す図である。遅延部５０は、インバータゲート８１、８２、抵抗Ｒ５１、コンデンサＣ５１の素子から構成される。抵抗Ｒ５１の一端に停止信号が入力し、抵抗Ｒ５１の他端はインバータゲート８１の入力端子とコンデンサＣ５１の一端と接続する。コンデンサＣ５１の他端はＧＮＤに接続し、インバータゲート８１の出力端子はインバータゲート８２の入力端子と接続し、インバータゲート８２の出力端子から停止信号が出力する。
【００４４】
停止信号が入力するとコンデンサＣ５１が充電され、充電後にインバータゲート８１、８２で整形されて出力するので、遅延時間として、およそコンデンサＣ５１で充電される時間分遅延させることができる。
【００４５】
次にピーク電圧検出部１０の他の構成例について説明する。図７はピーク電圧検出部の構成を示す図である。ピーク電圧検出部１０−２は、アンプ１１、１２、ＮチャネルのＦＥＴ１３、１４、コンデンサＣ１１、インバータゲート１６、２入力１出力のＡＮＤゲート１７の素子で構成される。
【００４６】
各素子の接続関係は、アンプ１１の入力端子にパケット信号が入力する。アンプ１１の出力端子は、ＡＮＤゲート１７の一方の入力端子と、ＦＥＴ１３、１４のドレイン端子に接続する。インバータゲート１６の入力端子に停止信号が入力し、インバータゲート１６の出力端子は、ＡＮＤゲート１７の他方の入力端子に接続する。
【００４７】
リセット信号はＦＥＴ１３のゲート端子に入力し、ＡＮＤゲート１７の出力端子はＦＥＴ１４のゲート端子に接続する。ＦＥＴ１３のソース端子は、ＦＥＴ１４のソース端子と、コンデンサＣ１１の一端と、アンプ１２の入力端子に接続し、コンデンサＣ１１の他端はＧＮＤに接続し、アンプ１２の出力端子からピーク電圧信号が出力する。
【００４８】
ピーク電圧検出部１０−２のピーク電圧変動抑制制御としては、停止信号を受信すると、停止信号がインバータゲート１６に入力して反転され、ＡＮＤゲート１７から“Ｌ”レベルの信号がＦＥＴ１４のゲート端子に入力する。したがって、ＦＥＴ１４のゲート電圧レベルが“Ｌ”となるので、ＦＥＴ１４をＯＦＦし、ピーク電圧検出制御を停止させる。
【００４９】
なお、パケット入力があって、アンプ１１からの出力が“Ｈ”であり、かつ停止信号が“Ｌ”であって、インバータゲート１６の出力が“Ｈ”であるときのみ、ＦＥＴ１４がＯＮしてピーク電圧が検出され、これ以外の論理の場合は、ＦＥＴ１４はＯＦＦとなり、コンデンサＣ１１は充電されない。
【００５０】
図８はピーク電圧検出部の構成を示す図である。ピーク電圧検出部１０−３は、アンプ１１、１２、ＮチャネルのＦＥＴ１３、１４ａ、１４ｂ、コンデンサＣ１１、インバータゲート１６の素子で構成される。
【００５１】
各素子の接続関係は、アンプ１１の入力端子にパケット信号が入力し、アンプ１１の出力端子は、ＦＥＴ１３、１４ａのドレイン端子と、ＦＥＴ１４ａのゲート端子と接続する。インバータゲート１６の入力端子に停止信号が入力し、インバータゲート１６の出力端子は、ＦＥＴ１４ｂのゲート端子に接続する。ＦＥＴ１３のゲート端子にリセット信号が入力し、ＦＥＴ１４ａのソース端子は、ＦＥＴ１４ｂのドレイン端子と接続する。ＦＥＴ１３のソース端子は、ＦＥＴ１４ｂのソース端子と、コンデンサＣ１１の一端とアンプ１２の入力端に接続する。コンデンサＣ１１の他端はＧＮＤに接続し、アンプ１２の出力端子からピーク電圧信号が出力する。
【００５２】
ピーク電圧検出部１０−３のピーク電圧変動抑制制御としては、停止信号を受信すると、停止信号がインバータゲート１６に入力して反転され、“Ｌ”レベルの信号がＦＥＴ１４ｂのゲート端子に入力する。したがって、ＦＥＴ１４ｂのゲート電圧レベルが“Ｌ”となるので、ＦＥＴ１４ｂをＯＦＦして、ピーク電圧検出制御を停止させる。
【００５３】
なお、パケット入力があって、アンプ１１からの出力が“Ｈ”であるとＦＥＴ１４ａがＯＮし、かつ停止信号が“Ｌ”であって、インバータゲート１６の出力が“Ｈ”であるときのみＦＥＴ１４ｂがＯＮして、この場合にのみＦＥＴ１４ａ、１４ｂ間を電流がコンデンサＣ１１に向かって流れてピーク電圧が検出され、これ以外の論理の場合は、コンデンサＣ１１は充電されない。
【００５４】
次にボトム電圧検出部２０の他の構成例について説明する。図９はボトム電圧検出部の構成を示す図である。ボトム電圧検出部２０−２は、アンプ２１、２２、ＰチャネルのＦＥＴ２６、２７、コンデンサＣ２１、インバータゲート２４、２入力１出力のＯＲゲート２８の素子で構成される。
【００５５】
各素子の接続関係は、アンプ２１の入力端子にパケット信号が入力し、アンプ２１の出力端子は、ＯＲゲート２８の一方の入力端子と、ＦＥＴ２６、２７のソース端子と接続する。ＯＲゲート２８の他方の入力端子に停止信号が入力し、ＯＲゲート２８の出力端子は、ＦＥＴ２６のゲート端子に接続する。インバータゲート２４の入力端子にリセット信号が入力し、インバータゲート２４の出力端子は、ＦＥＴ２７のゲート端子と接続する。ＦＥＴ２６のドレイン端子は、ＦＥＴ２７のドレイン端子と、コンデンサＣ２１の一端と、アンプ２２の入力端に接続する。コンデンサＣ２１の他端はＧＮＤに接続し、アンプ２２の出力端子からボトム電圧信号が出力する。
【００５６】
ボトム電圧の変動抑制制御としては、停止信号を受信すると、ＯＲゲート２８から“Ｈ”が出力されて、ＦＥＴ２６のゲート端子へ供給され、ＦＥＴ２６がＯＦＦして、ボトム電圧検出制御を停止させる。
【００５７】
なお、パケット入力があって、アンプ２１からの出力が“Ｌ”であり、かつ停止信号が“Ｌ”である場合にのみ、ＯＲゲート２８の出力が“Ｌ”となってＦＥＴ２６をＯＮとしてボトム電圧が検出され、これ以外の論理の場合は、コンデンサＣ２１は充電されない。
【００５８】
図１０はボトム電圧検出部の構成を示す図である。ボトム電圧検出部２０−３は、アンプ２１、２２、ＰチャネルのＦＥＴ２６ａ、２６ｂ、２７、コンデンサＣ２１、インバータゲート２４の素子で構成される。
【００５９】
各素子の接続関係は、アンプ２１の入力端子にパケット信号が入力し、アンプ２１の出力端子は、ＦＥＴ２７、２６ａのソース端子とＦＥＴ２６ａのゲート端子と接続する。インバータゲート２４の入力端子にリセット信号が入力し、インバータゲート２４の出力端子は、ＦＥＴ２７のゲート端子に接続する。ＦＥＴ２６ｂのゲート端子に停止信号が入力し、ＦＥＴ２６ｂのソース端子は、ＦＥＴ２６ａのドレイン端子と接続する。ＦＥＴ２６ｂのドレイン端子は、ＦＥＴ２７のドレイン端子と、コンデンサＣ２１の一端とアンプ２２の入力端に接続する。コンデンサＣ２１の他端はＧＮＤに接続し、アンプ２２の出力端子からボトム電圧信号が出力する。
【００６０】
ボトム電圧検出部２０−３のボトム電圧変動抑制制御としては、停止信号を受信すると、ＦＥＴ２６ｂのゲート端子に入力し、ＦＥＴ２６ｂのゲート電圧レベルが“Ｈ”となるので、ＦＥＴ２６ｂはＯＦＦして、ボトム電圧検出制御は停止する。
【００６１】
なお、パケット入力があって、アンプ２１からの出力が“Ｌ”であるとＦＥＴ２６ａのゲート端子が“Ｌ”なのでＦＥＴ２６ａがＯＮし、かつ停止信号が“Ｌ”であるとＦＥＴ２６ｂのゲート端子が“Ｌ”なのでＦＥＴ２６ｂがＯＮするので、この場合にのみ、ＦＥＴ２６ａ、２６ｂ間を電流がコンデンサＣ２１に向かって流れてボトム電圧が検出され、これ以外の論理の場合は、コンデンサＣ２１は充電されない。
【００６２】
次に受信装置１のシミュレーション結果について説明する。図１１、図１２はピーク電圧、ボトム電圧及びしきい値電圧のレベル特性を示す図である。横軸は時間、縦軸はレベルである。
【００６３】
図１１は従来構成のレベル特性の図を示している。本発明の構成を有していない従来装置では、プリアンブルでピーク電圧Ｐ１と、ボトム電圧Ｐ２を検出し、プリアンブル以降のパケットのデータ信号の入力パターンによって、ピーク電圧及びボトム電圧が変動しており、これに伴い同一パケット受信中で、しきい値電圧も変動している。
【００６４】
図１２は受信装置１のレベル特性の図である。受信装置１では、プリアンブルでピーク電圧Ｐ１とボトム電圧Ｐ２を検出するが、検出後は停止信号によってピーク電圧検出制御及びボトム電圧検出制御が停止して、プリアンブルで検出したピーク電圧Ｐ１とボトム電圧Ｐ２とを同一パケット受信中は（リセット信号が与えられるまで）保持するので、パケットのデータ信号の振幅変動が生じた場合も、その変動に追従しないため、ピーク電圧及びボトム電圧は変動せず、これに伴い同一パケット受信中で、しきい値電圧も一定レベルを保持することになる。
【００６５】
次に受信装置１を含む光加入者終端装置（ＯＬＴ）について説明する。図１３はＯＬＴの構成を示す図である。ＯＬＴ７は、光／電気変換部７１と、パケット受信処理部７２を含む。パケット受信処理部７２は、図１の受信装置１と同じ構成であるので説明は省略する。
【００６６】
ＯＮＵ＃１〜＃ｎからバースト送信された光パケットは、スターカプラ５２で合波されて、ＯＬＴ７へ送信される。光／電気変換部７１は、受信した光パケットを電気信号のパケットに変換し、その後、パケットはパケット受信処理部７２で処理される。
【００６７】
なお、上記の説明では、停止制御部３０で生成された停止信号を、ピーク電圧検出部１０とボトム電圧検出部２０の両方に送信して、プリアンブルを用いてのピーク電圧及びボトム電圧の検出後は、ピーク電圧／ボトム電圧の検出制御を停止する構成としたが、ピーク電圧検出部１０またはボトム電圧検出部２０のいずれか一方のみに送信して、いずれか一方の検出制御を停止する構成にすることも可能である。
【００６８】
（付記１）  パケット形式で伝送される信号の受信処理を行う受信装置において、
前記信号のピーク電圧を検出するピーク電圧検出部と、
前記信号のボトム電圧を検出するボトム電圧検出部と、
前記ピーク電圧の検出制御及び前記ボトム電圧の検出制御を停止させる停止信号を生成する停止制御部と、
前記ピーク電圧と前記ボトム電圧とにもとづいて、しきい値電圧を設定するしきい値設定部と、
を有し、
前記ピーク電圧検出部は、前記停止信号を受信すると、前記ピーク電圧の検出制御を停止し、同一信号の受信中は、前記停止信号を受信する前に検出した前記ピーク電圧を保持し、
前記ボトム電圧検出部は、前記停止信号を受信すると、前記ボトム電圧の検出制御を停止し、同一信号の受信中は、前記停止信号を受信する前に検出した前記ボトム電圧を保持し、
前記しきい値設定部は、同一信号受信中に変動が抑制された一定レベルの前記ピーク電圧及び前記ボトム電圧から前記しきい値を設定する、
ことを特徴とする受信装置。
【００６９】
（付記２）  前記停止制御部は、前記ピーク電圧検出部が前記信号の先頭フィールドの振幅レベルから検出した前記ピーク電圧と、前記ボトム電圧検出部が前記信号の先頭フィールドの振幅レベルから検出した前記ボトム電圧との差分から、前記信号の振幅レベルを検出した際に、前記停止信号を出力することを特徴とする付記１記載の受信装置。
【００７０】
（付記３）  前記停止信号を前記ピーク電圧検出部及び前記ボトム電圧検出部へ入力する際の入力時間を調整するために、前記停止信号を遅延させる遅延部をさらに有することを特徴とする付記１記載の受信装置。
【００７１】
（付記４）  前記ピーク電圧検出部は、入力した前記信号を通電させるトランジスタと、通電することにより充電して前記ピーク電圧を保持するコンデンサとから構成され、前記停止信号を受信すると前記トランジスタのゲート電圧を変化させて前記トランジスタのリーク電流の発生を抑制し、前記停止信号を受信する前に検出した前記ピーク電圧を保持することを特徴とする付記１記載の受信装置。
【００７２】
（付記５）  前記ボトム電圧検出部は、入力した前記信号を通電させるトランジスタと、通電することにより充電して前記ボトム電圧を保持するコンデンサとから構成され、前記停止信号を受信すると前記トランジスタのゲート電圧を変化させて前記トランジスタのリーク電流の発生を抑制し、前記停止信号を受信する前に検出した前記ボトム電圧を保持することを特徴とする付記１記載の受信装置。
【００７３】
（付記６）  光加入者系ネットワークの局側に配置される光加入者終端装置において、
加入者側からバースト送信された光パケットを受信して、電気信号のパケットに変換する光／電気変換部と、
前記パケットのピーク電圧を検出するピーク電圧検出部と、前記パケットのボトム電圧を検出するボトム電圧検出部と、前記ピーク電圧の検出制御及び前記ボトム電圧の検出制御を停止させる停止信号を生成する停止制御部と、前記ピーク電圧と前記ボトム電圧とにもとづいて、しきい値電圧を設定するしきい値設定部と、から構成されるパケット受信処理部と、
を有し、
前記ピーク電圧検出部は、前記停止信号を受信すると、前記ピーク電圧の検出制御を停止し、同一パケットの受信中は、前記停止信号を受信する前に検出した前記ピーク電圧を保持し、
前記ボトム電圧検出部は、前記停止信号を受信すると、前記ボトム電圧の検出制御を停止し、同一パケットの受信中は、前記停止信号を受信する前に検出した前記ボトム電圧を保持し、
前記しきい値設定部は、同一パケット受信中に変動が抑制された一定レベルの前記ピーク電圧及び前記ボトム電圧から前記しきい値を設定する、
ことを特徴とする光加入者終端装置。
【図面の簡単な説明】
【００７４】
【図１】受信装置の原理図である。
【図２】ピーク電圧検出部の構成を示す図である。
【図３】ピーク電圧検出部から出力されるピーク電圧を示す図である。
【図４】ボトム電圧検出部の構成を示す図である。
【図５】停止制御部の構成を示す図である。
【図６】遅延部の構成を示す図である。
【図７】ピーク電圧検出部の構成を示す図である。
【図８】ピーク電圧検出部の構成を示す図である。
【図９】ボトム電圧検出部の構成を示す図である。
【図１０】ボトム電圧検出部の構成を示す図である。
【図１１】ピーク電圧、ボトム電圧及びしきい値電圧のレベル特性を示す図である。
【図１２】ピーク電圧、ボトム電圧及びしきい値電圧のレベル特性を示す図である。
【図１３】ＯＬＴの構成を示す図である。
【図１４】ＰＯＮシステムの構成を示す図である。
【図１５】ＯＬＴで受信される信号のレベルを示す図である。
【図１６】パケット受信処理の概要を示す図である。
【図１７】問題点を説明するための図である。
【符号の説明】
【００７５】
１  受信装置
１０  ピーク電圧検出部
２０  ボトム電圧検出部
３０  停止制御部
４０  しきい値設定部
５０  遅延部
Ｒ１、Ｒ２  抵抗
【図１】
2008141271.tif 000003
【図２】
2008141271.tif 000004
【図３】
2008141271.tif 000005
【図４】
2008141271.tif 000006
【図５】
2008141271.tif 000007
【図６】
2008141271.tif 000008
【図７】
2008141271.tif 000009
【図８】
2008141271.tif 000010
【図９】
2008141271.tif 000011
【図１０】
2008141271.tif 000012
【図１１】
2008141271.tif 000013
【図１２】
2008141271.tif 000014
【図１３】
2008141271.tif 000015
【図１４】
2008141271.tif 000016
【図１５】
2008141271.tif 000017
【図１６】
2008141271.tif 000018
【図１７】
2008141271.tif 000019